(57)【要約】 【課題】軽くコンパクトで持ち運びに便利であり、使用場所の制約を受けない安価な携帯用プロジェクタを提供する。【解決手段】携帯用プロジェクタ１は、ディスプレイに表示された画像を反射させるミラー２４を取り付けたミラー収納部２と、ミラー２４で反射された画像を投影するレンズ３４を収納したレンズ収納部３と、を備え、レンズ収納部３は、ミラー収納部２に対して相対的に移動されるように構成されており、ミラー収納部２に対してレンズ収納部３を相対的に移動して投影される画像の焦点合わせが可能である。【選択図】図１
2011013494.tif 000002
【特許請求の範囲】
【請求項１】
ディスプレイに表示された画像を投影する携帯用プロジェクタにおいて、
前記ディスプレイに表示された前記画像を反射させるミラーを取り付けたミラー収納部と、
前記ミラーで反射された画像を投影するレンズを収納したレンズ収納部と、を備え、
前記レンズ収納部は、前記ミラー収納部に対して相対的に移動されるように構成されており、前記ミラー収納部に対して前記レンズ収納部を相対的に移動して投影される画像の焦点合わせが行われることを特徴とする携帯用プロジェクタ。
【請求項２】
ディスプレイに表示された画像を投影する携帯用プロジェクタにおいて、
前記ディスプレイに表示された前記画像を投影するレンズを収納したレンズ収納部と、
前記レンズで投影された画像を反射させるミラーを取り付けたミラー収納部と、を備え、
前記ミラー収納部は、前記レンズ収納部に対して相対的に移動されるように構成されており、前記レンズ収納部に対して前記ミラー収納部を相対的に移動して投影される画像の焦点合わせが行われることを特徴とする携帯用プロジェクタ。
【請求項３】
前記ミラー収納部と前記レンズ収納部とは別体で形成され、前記ミラー収納部と前記レンズ収納部とを挿設させた請求項１又は２に記載の携帯用プロジェクタ。
【請求項４】
前記ミラー収納部と前記レンズ収納部とは一体的に形成された請求項１又は２に記載の携帯用プロジェクタ。
【請求項５】
前記ミラー収納部には、前記ディスプレイから直接前記レンズに投影される光を遮光する遮光板が設けられる請求項１、３、４に記載の携帯用プロジェクタ。
【請求項６】
前記ミラー収納部は、締結部材を有し、支持部によって固定支持される請求項１、３、４、５のいずれか１項に記載の携帯用プロジェクタ。
【請求項７】
前記レンズ収納部は、移動方向に延びる長孔を有し、ボルトが長孔に係合し、ボルトを締結することによって、前記ミラー収納部に固定される請求項１、３、４、５、６のいずれか１項に記載の携帯用プロジェクタ。
【請求項８】
前記レンズ収納部は、伸縮可能な蛇腹形状で構成された蛇腹部を有する請求項１、３、４、５、６のいずれか１項に記載の携帯用プロジェクタ。
【請求項９】
前記ミラー収納部は、焦点調整機構が設けられ、前記焦点調整機構のダイヤルを回転させることによって、前記レンズ収納部を移動させる請求項１、３、４、５、６のいずれか１項に記載の携帯用プロジェクタ。
【請求項１０】
前記ミラー収納部と前記レンズ収納部とは、ヘリコイド回転機構を備え、前記ミラー収納部と前記レンズ収納部とを嵌挿させ、前記レンズ収納部を回転させて、前記レンズ収納部を移動させる請求項１、３、４、５、６のいずれか１項に記載の携帯用プロジェクタ。
【請求項１１】
前記レンズ収納部は、互いに径が異なり嵌合して摺動する複数の円筒部で構成された請求項１、３、４、５、６のいずれか１項記載の携帯用プロジェクタ。
【請求項１２】
前記レンズは、前記ミラーの入射光軸と反射光軸とのなす角が直角であって、前記反射光軸に沿って移動する請求項１、３、４、５、６のいずれか１項に記載の携帯用プロジェクタ。
【請求項１３】
前記レンズは、前記ミラーの入射光軸と反射光軸とのなす角が直角であって、前記入射光軸に沿って移動する請求項２乃至４のいずれか１項に記載の携帯用プロジェクタ。
【発明の詳細な説明】
【技術分野】
【０００１】
本発明は、スクリーン、壁又は天井等に画像を投影できる簡易型携帯用プロジェクタに関するものである。
【背景技術】
【０００２】
従来、スクリ−ンに画像を投影する光源を内蔵したプロジェクタやＯＨＰ（オーバーヘッドプロジェクタ）が知られており、また、これらに関して種々の提案がなされている。例えば、特許文献１には、会議や展示会等において、大型のスクリーンに画像を投影させるプロジェクタが記載されており、これにより当該画像を複数の人数で見ることができるようになっている。
【先行技術文献】
【特許文献】
【０００３】
【特許文献１】特表２００４−５２３００７号公報
【発明の概要】
【発明が解決しようとする課題】
【０００４】
しかしながら、光源を内蔵するためその電源が必要となるプロジェクタやＯＨＰでは、そのサイズが大きく重量も重くなるので、持ち運びに不便であり、その価格も高価にならざるを得ない。また、画像を投影させるためには、プロジェクタを作動させる電源が必要となるため、電源コンセントが設置されている場所等、使用できる場所が限られる等の問題があった。
【０００５】
本発明は、このような事情に鑑みてなされたものであり、軽くコンパクトで持ち運びに便利であり、使用場所の制約を受けない安価な携帯用プロジェクタを提供することを目的とする。
【課題を解決するための手段】
【０００６】
上記課題を解決するため、本発明は、ディスプレイに表示された画像を投影する携帯用プロジェクタにおいて、
前記ディスプレイに表示された前記画像を反射させるミラーを取り付けたミラー収納部と、
前記ミラーで反射された画像を投影するレンズを収納したレンズ収納部と、を備え、
前記レンズ収納部は、前記ミラー収納部に対して相対的に移動されるように構成されており、前記ミラー収納部に対して前記レンズ収納部を相対的に移動して投影される画像の焦点合わせが行われることを特徴とする。
【０００７】
かかる構成によれば、ディスプレイに表示された画像を投影するので、携帯用プロジェクタ独自の電源が不要となる。また、ミラー収納部は、レンズ収納部に対して相対的に移動し焦点を合わせてスクリーン等に画像を投影することで大画面の画像を表示でき、一方、ミラーを取り付けたミラー収納部とレンズを収納したレンズ収納部のみで携帯用プロジェクタを構成できるので、製作コストが安価である。
【０００８】
また、本発明は、ディスプレイに表示された画像を投影する携帯用プロジェクタにおいて、
前記ディスプレイに表示された前記画像を投影するレンズを収納したレンズ収納部と、
前記レンズで投影された画像を反射させるミラーを取り付けたミラー収納部と、を備え、
前記ミラー収納部は、前記レンズ収納部に対して相対的に移動されるように構成されており、前記レンズ収納部に対して前記ミラー収納部を相対的に移動して投影される画像の焦点合わせが行われることを特徴とする。
【０００９】
かかる構成によれば、上記と同様に、携帯用プロジェクタ独自の電源が不要であり、大画面の画像を表示できる一方、ミラー収納部とレンズ収納部のみで携帯用プロジェクタを構成できるので、製作コストが安価である。
【００１０】
また、前記携帯用プロジェクタにおいて、前記ミラー収納部と前記レンズ収納部とは別体で形成され、前記ミラー収納部と前記レンズ収納部とを挿設させたことを特徴とする。
【００１１】
かかる構成によれば、ミラー収納部とレンズ収納部とは別体で形成され、ミラー収納部とレンズ収納部とを挿設させることができるので、コンパクトで持ち運びに便利な携帯用プロジェクタを構成することができる。
【００１２】
また、前記携帯用プロジェクタにおいて、前記ミラー収納部と前記レンズ収納部とは一体的に形成されたことを特徴とする。
【００１３】
かかる構成によれば、ミラー収納部とレンズ収納部とは一体的に形成されているので、軽く安価な携帯用プロジェクタを構成することができる。
【００１４】
また、前記携帯用プロジェクタにおいて、前記ミラー収納部には、前記ディスプレイから直接前記レンズに投影される光を遮光する遮光板が設けられることを特徴とする。
【００１５】
かかる構成によれば、光源から直接照射された光とミラーにより反射された光とが重なってスクリーン等に投影されることにより生じる２重映りを防止することができる。
【００１６】
また、前記携帯用プロジェクタにおいて、前記ミラー収納部は、締結部材を有し、支持部によって固定支持されることを特徴とする。
【００１７】
かかる構成によれば、支持部によって、上下方向に高さ位置を変えて固定することができるので、例えば、画像を表示するディスプレイを備えた機器のディスプレイを上面に向けて卓上に置いた際の高さが大きくてもディスプレイ画像開口部の下方に配置することができる。
【００１８】
また、前記携帯用プロジェクタにおいて、前記レンズ収納部は、移動方向に延びる長孔を有し、ボルトが長孔に係合し、ボルトを締結することによって、前記ミラー収納部に固定されることを特徴とする。
【００１９】
かかる構成によれば、ミラー収納部とレンズ収納部とがより強固に固定されるため、両者間のガタつきを防止することができる。
【００２０】
また、前記携帯用プロジェクタにおいて、前記レンズ収納部は、伸縮可能な蛇腹形状で構成された蛇腹部を有することを特徴とする。
【００２１】
かかる構成によれば、レンズ収納部は、蛇腹形状の蛇腹部を有することにより、伸縮が可能なため焦点合わせがし易く操作が容易な携帯用プロジェクタを構成することができる。
【００２２】
また、前記携帯用プロジェクタにおいて、前記ミラー収納部は、焦点調整機構が設けられ、前記焦点調整機構のダイヤルを回転させることによって、前記レンズ収納部を移動させることを特徴とする。
【００２３】
かかる構成によれば、ダイヤルを回転させることによって、レンズ収納部をミラー収納部に対して相対的に移動させて焦点を合わせることができる。
【００２４】
また、前記携帯用プロジェクタにおいて、前記ミラー収納部と前記レンズ収納部とは、ヘリコイド回転機構を備え、前記ミラー収納部と前記レンズ収納部とを嵌挿させ、前記レンズ収納部を回転させて、前記レンズ収納部を移動させることを特徴とする。
【００２５】
かかる構成によれば、ヘリコイド回転機構によりレンズ収納部を回転させてミラー収納部に対して相対的に移動させて焦点を合わせることができる。
【００２６】
また、前記携帯用プロジェクタにおいて、前記レンズ収納部は、互いに径が異なり嵌合して摺動する複数の円筒部で構成されたことを特徴とする。
【００２７】
かかる構成によれば、レンズ収納部を構成する複数の円筒部を互いに嵌合させ摺動させることで、レンズ収納部をミラー収納部に対して相対的に移動させて焦点を合わせることができる。
【００２８】
また、前記携帯用プロジェクタにおいて、前記レンズは、前記ミラーの入射光軸と反射光軸とのなす角が直角であって、前記反射光軸に沿って移動することを特徴とする。
【００２９】
かかる構成によれば、前記レンズを前記反射光軸に沿って移動させることによって、焦点を合わせて投影することができるので、焦点を合わせ易くなる。
【００３０】
尚、前記携帯用プロジェクタにおいて、前記レンズは、前記ミラーの入射光軸と反射光軸とのなす角が直角であって、前記入射光軸に沿って移動することを特徴とする。
【００３１】
かかる構成によれば、前記レンズを前記入射光軸に沿って移動させることによって、焦点を合わせて投影することができるので、焦点を合わせ易くなる。
【図面の簡単な説明】
【００３２】
【図１】本発明の第１の実施形態に係る携帯用プロジェクタを斜め上から見た斜視図である。
【図２】図１に示した携帯用プロジェクタにおけるミラー収納部とレンズ収納部の斜視図である。
【図３】図１に示した携帯用プロジェクタにおいて、（ａ）はミラー収納部の正面図、（ｂ）は（ａ）のＡ−Ａ線断面図、（ｃ）は携帯用プロジェクタの断面図、（ｄ）はミラー収納部の右側面図である。
【図４】図１に示した携帯用プロジェクタにおいて、（ａ）はレンズ収納部の正面図、（ｂ）はレンズ収納部の背面図、（ｃ）は（ａ）のＢ−Ｂ線断面図である。
【図５】図１に示した携帯用プロジェクタにおいて、（ａ）はスタンドを取り付けた状態の側面図、（ｂ）は（ａ）のＣ−Ｃ線断面図である。
【図６】本発明の第１の実施形態に係る携帯用プロジェクタのスタンドの斜視図である。
【図７】本発明の第１の実施形態に係る携帯用プロジェクタの基本原理を説明するための図である。
【図８】本発明の第１の実施形態に係る携帯用プロジェクタの各変形例を示す側面図であり、（ａ）は第１変形例、（ｂ）は第２変形例、（ｃ）は第３変形例、（ｄ）は第４変形例、（ｅ）は第５変形例を示している。
【図９】本発明の第２の実施形態に係る携帯用プロジェクタの側面図である。
【図１０】本発明の第３の実施形態に係る携帯用プロジェクタの側面図である。
【発明を実施するための形態】
【００３３】
以下、本発明の携帯用プロジェクタを具体化した各実施形態について図面を参照しつつ説明する。始めに、本発明の第１実施形態である携帯用プロジェクタ１について説明する。図１は、本発明の第１実施形態である携帯用プロジェクタ１を斜め上から見た斜視図である。図２は、別体のミラー収納部２とレンズ収納部３とを斜め上から見た斜視図である。図３（ａ）は、ミラー収納部２の正面図であり、（ｂ）は、（ａ）のＡ−Ａ線断面図であり、同図（ｃ）は、携帯用プロジェクタ１の断面図であり、同図（ｄ）は、ミラー収納部２の右側面図である。図４（ａ）は、レンズ収納部３の正面図であり、同図（ｂ）はレンズ収納部３の背面図であり、同図（ｃ）は、同図（ａ）のＢ−Ｂ線断面図である。図５（ａ）は、携帯用プロジェクタ１にスタンド６を取り付けた状態の側面図であり、同図（ｂ）は、同図（ａ）のＣ−Ｃ線断面図である。図６は、携帯用プロジェクタ１のスタンド６の斜視図である。図７は、携帯用プロジェクタ１の構成図である。図８（ａ）は、第１変形例を、同図（ｂ）は第２変形例を、同図（ｃ）は第３変形例を、同図（ｄ）は第４変形例を、同図（ｅ）は第５変形例を示している。
【００３４】
携帯用プロジェクタ１は、図１、２に示すように、卓上で用いることができる大きさで、ミラー２４を内部に配設したミラー収納部２と、正面側の壁にレンズ孔部３３とレンズ３４とを配設したレンズ収納部３とを挿設させて構成されている。本発明の携帯用プロジェクタ１は、電源を必要とせず、電球や蛍光灯等の光源を備えておらず、ミラー収納部２の下方に電子機器７を配置し、電子機器７のディスプレイが発する光源によって、電子機器７の画像をスクリーン等に投影することできる。
【００３５】
ここでいう電子機器７は、ディスプレイを備えた携帯電話、デジタルカメラ及びポータブルゲーム機等をいう。そして、携帯用プロジェクタ１は、支持部であるスタンド６を用いることにより、固定し支持することができ、ミラー収納部２の下方に電子機器７を配設する空間を有し、安定した状態で、スクリーン等に投影することができる。
【００３６】
ミラー収納部２は、図３（ａ）、（ｂ）に示すように、左右対称に構成され、側面側から見てＬ字形状をした箱体であって内部に空間を有し、上下左右の壁に囲まれて開口したミラー開口部２１と、背面側寄りで下面側に略四角形状で前後左右の壁に囲まれて開口したディスプレイ画像開口部２２と、遮光板２３とが配設されている。このディスプレイ画像開口部２２から、電子機器７のディスプレイの光源を取り入れることができる。そして、ミラー収納部２の内部は、正面側のミラー開口部２１と下面側のディスプレイ画像開口部２２との空間は連続している。
【００３７】
そして、ミラー収納部２は、同図（ｃ）に示すように、ミラー２４が、ミラー収納部２の内部の背面側に、反射面を正面側に向けて下向きで約４５°（背面の壁とミラー２４との内角）の角度で傾斜して配設されている。尚、ミラー２４の設置角度は、３０°や６０°としてもよい。ミラー２４は、ガラスに金属を定着させた面に姿を写す表面ミラーであり、ディスプレイ画像開口部２２から取り入れた電子機器７の光源を反射して後述するレンズ収納部３のレンズに集光させる。
【００３８】
さらに、ミラー収納部２は、下面側のディスプレイ画像開口部２２の周縁の正面側の壁２２１の上端側がミラー収納部２の内部の上方へ延設した、正面側の壁２２１の底面から高さｈの遮光板２３を有している。
【００３９】
遮光板２３の高さｈは、同図（ｃ）に示すように、ミラー収納部２とレンズ収納部３とが挿設されて最も近接した状態において、レンズ収納部３の正面側のレンズ孔部３３上側の正面端の点ｏと、ミラー収納部２のディスプレイ画像開口部２２の下面側で背面側の壁内側点ｍとを結ぶ線間ｏ−ｍに、ディスプレイ画像開口部２２の周縁の正面側の壁２２１の上端がミラー収納部２の内部の上方へ垂直に延設した際の交点ｎが決定する。そして、ミラー収納部２のディスプレイ画像開口部２２の周縁の正面側の壁２２１の底面から点ｎまでの高さｈが遮光板２３の高さとなる。尚、遮光板２３は、同図（ｃ）の仮想線２３ａで示したように、前後方向（正面を前、背面を後ろ）で、壁２２１からミラー開口部２１前端の長さで、壁２２１の底面から高さｈとするブロック部材としてもよい。そして、ブロック部材の幅は、遮光板２３と同じである。
【００４０】
遮光板２３は、電子機器７のディスプレイから直接レンズに照射して集光された光源と、ミラー２４から反射された光源とによって、スクリーン等に投影した際の２重映りを防止することができる。つまり、遮光板２３は、電子機器７のディスプレイから直接レンズに照射しないように、遮光することができる。
【００４１】
また、ミラー収納部２は、同図（ｄ）に示すように、左右面壁の外側で正面側にガイドレール２６と固定部２７とラチェット機構のラック部２８とを備えている。ガイドレール２６は、幅数ｍｍの突起状で、左右面壁からそれぞれ２本突出し（上方と下方）、上面壁とほぼ水平に、ミラー収納部２の正面側から背面側へ向けて、ミラー収納部２の前後方向長さの約半分ほどの長さで配設されている。ガイドレール２６は、後述するレンズ収納部３に設けられたガイドレール溝３６にはめ込まれ、ミラー収納部２とレンズ収納部３とを挿設させるためのものである。固定部２７は、爪状の突起物を有し、左右面壁からそれぞれ２箇所設けられ、一方は上方のガイドレール２６の下に、他方は下方のガイドレール２６の上に、即ち、２つのガイドレール２６の間に配置されている。固定部２７は、ミラー収納部２をレンズ収納部３に挿設して、後述するレンズ収納部３の固定溝３７に固定させるものである。ラチェット機構のラック部２８は、凹凸状の連続した突起物で、左右面壁の中央にそれぞれ１箇所、ガイドレール２６とほぼ同じ長さで、ミラー収納部２の正面側から背面側へ向けてに設けられている。尚、ラチェット機構とは、ラック部２８と爪状の突起物であるレンズ部３の爪部３８により、ミラー収納部２とレンズ収納部３との前後方向の動きを制限する仕組みである。また、ミラー収納部２は、スタンド６によって支持されるための雌ネジ部２５を、左右面壁の上下方向の中央で、背面側寄りにそれぞれ１箇所設けられている。
【００４２】
レンズ収納部３は、図４（ａ）、（ｂ）に示すように、左右対称に構成され、箱体であって、背面側に開口されたレンズ開口部３１と、下面側の壁に切り欠き部３２と、正面側にレンズ孔部３３と、レンズ３４と、を有している。レンズ開口部３１は、正面側の壁の周縁に接続された上下左右面の壁に囲まれ、下面側の壁が上、左、右面の壁よりも正面側へ短く構成されている。レンズ収納部３の下面側の壁は、同図（ｃ）に示すように、上面壁や左右面の壁より短く構成され、空いた空間である切り欠き部３２を有している。切り欠き部３２は、ミラー収納部２とレンズ収納部３とが挿設された際に、切り欠き部３２にミラー収納部２の壁２２１が挿入されて、携帯用プロジェクタ１が前後方向の長さを短くでき、コンパクトにすることができる。
【００４３】
レンズ孔部３３は、レンズ収納部３の正面側の壁に略四角形状の孔が貫穿され、レンズ３４の円内に収まる大きさとなっている。レンズ孔部３３は、投影画像の縁がぼやけるの防止するためのものである。尚、レンズ孔部３３は、丸形状でも良い。
【００４４】
そして、レンズ３４は、レンズ収納部３の正面側の壁部の内部に、レンズ３４の中心とレンズ孔部３３の中心とが重なるように配設されている。
【００４５】
レンズ３４は、一般的な凸レンズであり、ミラー収納部２のミラー２４から投影された光を集光させ、レンズ孔部３３を通って、スクリーン等へ電子機器７の画像を投影させる。
【００４６】
そして、レンズ収納部３は、左右壁の内側に、ガイドレール溝３６と固定溝３７とラチェット機構爪部３８とを有している。ガイドレール溝３６は、先述したミラー収納部２のガイドレール２６が挿入される溝である。ミラー収納部２をレンズ収納部３に取り付ける際のガイドとなり、ミラー収納部２をレンズ収納部３に挿入しやすくなる。固定溝３７は、ミラー収納部２の固定部２７の突起がひっかかるようになっており、ミラー収納部２とレンズ収納部３と挿設されて、最も近接した状態になったときに外れないようにする。
【００４７】
ミラー収納部２とレンズ収納部３は、図５（ａ）に示すように、一体となって携帯用プロジェクタ１を構成する。より詳細には、同図（ｂ）の断面図に示すように、携帯用プロジェクタ１は、ミラー収納部２の正面側のミラー開口部２１がレンズ収納部３の背面側のレンズ開口部３１に挿入され、レンズ収納部３のガイドレール溝３６にミラー収納部２のガイドレール２６が差し込まれ、レンズ収納部３の内側にミラー収納部２が挿入されて構成される。そして、携帯用プロジェクタ１は、スタンド６により、固定し支持される。
【００４８】
スタンド６は、図６に示すように、携帯用画像投影機１を固定し支持するための支持部であり、薄い板状であってＬ字形状をし、垂直に立設したスタンド本体６１と、電子機器７を載せる底板部６５とで形成されている。スタンド本体６１は、携帯用プロジェクタ１のミラー収納部２を固定するためのスタンド側板６２が、底板部６５の方向の内側に向けて配設されている。スタンド側板６２は、雄ネジ６４のネジ部分を挿入できる幅で上下方向にわたって止め孔６３が貫穿され、締結部材の雄ネジ６４とミラー収納部２の雌ネジ部２５とを用いて、止め孔６３に雄ネジ６４のネジ部分を挿入し、雄ネジ６４とミラー収納部２の雌ネジ部２５とで、スタンド側板６２を挟み締結部材である雄ネジ６４と雌ネジ部２５で固定することができる。スタンド６は、電子機器７の形状の高さが大きい場合は、止め孔６３の範囲内で、上下方向に調整して、携帯用画像投影機１を固定し支持することができる。
【００４９】
次に、携帯用プロジェクタ１の使用例について説明する。電子機器７の電源をオンにし、スクリーン１０に投影させる画像や映像を選択し電子機器７のディスプレイ上に表示させる。そして、図７に示すように、電子機器７を、携帯用プロジェクタ１のディスプレイ画像開口部２２の下方の電子機器７のディスプレイからの光源が取り入れられる位置に配置し、部屋の照明を暗くする。電子機器７のディスプレイが発する光源は、ディスプレイ画像開口部２２からミラー収納部２の内部のミラー２４に反射され、レンズ収納部３のレンズ３４に集光されて、スクリーン１０に投影される。その投影された画像や映像を複数人で見ることができる。尚、電子機器７のディスプレイに表示された画像は、ミラー２４に反射され一旦は左右逆転しているが、レンズ３４で再度左右が逆転されるので、見る人は左右に関して正しい画像を観察できるようになる。また、スクリーン１０に投影された画像の焦点を合わせる場合は、レンズ収納部３を前後方向に手動で移動させれば良い。つまり、レンズ収納部３は、レンズ３４を正面側に配設しているので、ミラー収納部２に対して相対的に移動して焦点を合わせて投影することができる。レンズ収納部３は、ミラー収納部２から離脱しない範囲で前後方向に移動させることができる。
【００５０】
更に、この携帯用プロジェクタ１の使用例として、ホテル等に宿泊した際に、携帯用プロジェクタ１のレンズ３４側を天井側に向けて上向きにし、天井をスクリーンとして利用し、電子機器７のディスプレイが表示する画像を投影させて、ベッド上で仰向けで見ることができる。
【００５１】
以上詳述したことから明らかなように、本実施例によれば、携帯用プロジェクタ１は、ミラー収納部２とレンズ収納部３とは別体で形成され、ミラー収納部２は、箱体であって、正面側に開口したミラー開口部２１と、背面側寄りで下面側に開口したディスプレイ画像開口部２２と、反射面を正面側に向けて下方に傾斜したミラー２４とを有している。そして、レンズ収納部３は、箱体であって、正面側に開口したレンズ孔部３３と、正面側の壁内に配設されたレンズ３４と、背面側に開口したレンズ開口部３１とを有し、ミラー収納部２のミラー開口部２１とレンズ収納部３のレンズ開口部３１とを挿設させ、ミラー収納部２に対してレンズ収納部３を相対的に移動することにより、投影される画像の焦点合わせが可能であるので、携帯用プロジェクタのための電源が不要で、画像をスクリーン等に投影することで大画面の画像を表示でき、形状がコンパクトで持ち運びが容易で、移動による携帯性に優れ、製造コストが安価である。
【００５２】
また、携帯用プロジェクタ１は、遮光板２３を有することにより、光源から直接照射された光源とミラーから反射された光源とによって、スクリーン等に投影した際の２重映りを防止することができる。
【００５３】
また、スタンド６によって、携帯用プロジェクタ１は、上下方向に高さ位置を変えて固定することができるので、例えば、電子機器７のディスプレイを上面に向けて卓上に置いた際の高さが大きくてもディスプレイ画像開口部２２の下方に配置することができる。
【００５４】
次に本発明の変形例について、図８（ａ）〜（ｅ）を参照しつつ説明する。尚、上述した実施形態と同一の構成には同一の符号を付し、それらについての詳細な説明を省略する（以下の変形例及び実施形態においても同様）。第１変形例の携帯用プロジェクタ１は、同図（ａ）に示すように、左右面壁にナット部を有するミラー収納部２と、左右面壁に移動方向に延びる長孔が貫穿された止め孔３ａ１を有するレンズ収納部３とを備え、ボルト３ａ２を左右面壁の外側から止め孔３ａ１に差し込み、ボルト３ａ２とナット部とで挟み固定することができる締結部材を有している。そのため、携帯用プロジェクタ１は、ミラー収納部２とレンズ収納部３とがより強固に固定されるため、両者間のガタつきを防止することができる。
【００５５】
第２変形例の携帯用プロジェクタ１は、同図（ｂ）に示すように、レンズ収納部３が、折りたたみが可能な蛇腹形状で構成された蛇腹部３ｂを有している。レンズ収納部３は、蛇腹形状の蛇腹部３ｂを有することにより、手動で伸縮が可能で操作しやすい。
【００５６】
第３変形例の携帯用プロジェクタ１は、同図（ｃ）に示すように、ミラー収納部２は、上面側に焦点調整機構が設けられ、焦点調整機構に備えられたダイヤル２ｃを回転させることによって、レンズ収納部３を前後方向に手動で移動させることができる。焦点調整機構は、焦点を合わせ調整するためのものであればよく、例えば、操作用のダイヤル２ｃと、ダイヤル２ｃに連結された調整軸とによって構成されている。調整軸は、雄ネジ部で構成され、レンズ収納部３の上面壁の雌ネジ部に連結され、ダイヤル２ｃを回転させることによって、レンズ収納部３を前後方向に手動で移動させる。
【００５７】
第４変形例の携帯用プロジェクタ１は、同図（ｄ）に示すように、ミラー収納部２とレンズ収納部３とは、ヘリコイド回転機構を備え、ミラー収納部２とレンズ収納部３とを嵌挿させ、レンズ収納部２を回転させて、レンズ収納部を移動させることができる。つまり、ミラー収納部２がミラー収納部２のミラー開口部２１の周縁の壁外側に雄ネジ溝部を有し、レンズ収納部３は、レンズ収納部３のレンズ開口部３１の周縁の壁内側が雌ネジ溝部とを有している。このヘリコイド回転機構により、ミラー収納部２とレンズ収納部３とを嵌挿させ、レンズ収納部３を回転させて、レンズ収納部３を前後方向に手動で移動させることができる。
【００５８】
第５変形例の携帯用プロジェクタ１は、同図（ｅ）に示すように、レンズ収納部３は、互いに径が異なり嵌合して摺動する複数の円筒部であり、大筒部３ｅ１の内側に中筒部３ｅ２が、中筒部３ｅ２の内側に小筒部３ｅ３で構成され、互いに緊密に配設されている。尚、小筒部３ｅ３にレンズが配設されている。大筒部３ｅ１は、ミラー収納部２に固定されており、小筒部３ｅ３をスライドさせることにより、中筒部３ｅ２も移動し、レンズ収納部３を前後方向に手動で伸縮させ焦点を合わせることができる。尚、筒部は、箱体で構成しても良い。
【００５９】
次に本発明の第２実施形態について図９を参照しつつ説明する。図９は、第２実施形態の携帯用プロジェクタ１である。第１実施形態では、ミラー収納部２とレンズ収納部３とは、別個の個体で構成されていたが、第２実施形態では、ミラー収納部２とレンズ収納部３とは、一体的に形成されていることが特徴である。尚、遮光板２３を有し、スタンド６によって、固定し支持される点では第１実施形態と同じ構成である。
【００６０】
携帯用プロジェクタ１は、左右対称に構成され、ミラー収納部２とレンズ収納部３とからなり、側面側から見てＬ字形状をした箱体であって一体的に形成されている。
【００６１】
ミラー収納部２は、内部の背面側にミラー２４と、背面側よりの下面側に開口したディスプレイ画像開口部２２と、遮光板２３とを有している。
【００６２】
レンズ収納部３は、ミラー収納部２の前面側に位置し、正面側に開口したレンズ孔部３３と、レンズ孔部３３からミラー収納部２のディスプレイ画像開口部２２の間に伸縮可能な蛇腹形状で構成された蛇腹部１１とを有している。つまり、レンズ収納部３は、正面側から蛇腹部１１及びディスプレイ画像開口部２２の前までの部分で構成されている。第２実施形態の携帯用プロジェクタ１は、この蛇腹部１１の伸縮構造によって、焦点を合わせることができる。
【００６３】
以上詳述したことから明らかなように、本実施例によれば、ミラー収納部２とレンズ収納部３とは、一体的に形成され、ミラー収納部２は、下面側の背面側寄りで下面側に開口したディスプレイ画像開口部２２と、反射面を正面側に向けて下向きに傾斜したミラー３４と、を有し、レンズ収納部３は、正面側の壁に開口したレンズ孔部３３と、正面側の壁内に配設されたレンズ３４と、を有し、ミラー収納部３に対して蛇腹部１１によってレンズ収納部３を相対的に前後方向に手動で移動させることができるので、携帯用プロジェクタのための電源が不要で、スクリーン等に投影することで大画面の画像を表示でき、形状がコンパクトで持ち運びが容易で、移動による携帯性に優れ、製造コストが安価である。さらに、蛇腹部１１を有しているので、レンズ収納部２の伸縮が可能で焦点を合わせることができる。
【００６４】
次に本発明の第３実施形態について図１０を参照しつつ説明する。図１０は、本発明の第３実施形態の携帯用プロジェクタの側面図である。上述した第１実施形態と第２実施形態と異なる点は、ミラー収納部２が上方に、レンズ収納部３が下方に配設された縦長形状であり、ミラー収納部２とレンズ収納部３との配置が逆となっている。つまり、第１、２実施形態の携帯用プロジェクタ１は、電子機器７の光源が、始めにミラー２４に反射し、次にレンズ３４に集光されて、スクリーン１０に投影されていたが、第３実施形態の携帯用プロジェクタ１は、電子機器７の光源が、始めにレンズに集光されて、次にミラー２４に反射されて、スクリーン１０に投影される。
【００６５】
携帯用プロジェクタ１は、ミラー収納部２とレンズ収納部３とが別体で形成され、ミラー収納部２は、下面側に開口したミラー開口部２１と、ミラー収納部２上方でかつ正面側に開口した投影用孔部３９と、反射面を正面側に向けて傾斜したミラー２４とを有している。
【００６６】
レンズ収納部３は、上面側に開口したレンズ開口部３１と、下面側に開口したディスプレイ画像開口部３１ａと、レンズ収納部３の内側でかつディスプレイ画像開口部３１ａの上方に配設したレンズ３４とを有している。
【００６７】
そして、ミラー収納部２のミラー開口部２１とレンズ収納部３のレンズ開口部３１とを挿設させ、ディスプレイ画像開口部３１ａの下方に電子機器７を配設し、電子機器７の光源によりスクリーン１０に投影することができる。ミラー収納部２は、レンズ収納部３から離脱しない範囲で、レンズ収納部３に対して相対的に上下方向に移動して焦点を合わせて投影することができる。
【００６８】
以上詳述したことから明らかなように、本実施例によれば、レンズ収納部３のレンズ開口部３１と、ミラー収納部２のミラー開口部２１とを挿設させ、ミラー収納部２を上下方向に移動させることができるので、携帯用プロジェクタ１のための電源が不要で、ミラー収納部２を上下方向に移動させて上下方向の投影位置を調整でき、スクリーン等に投影することで大画面の画像を表示でき、形状がコンパクトで持ち運びが容易で携帯性に優れ、製造コストが安価である。
【００６９】
本発明は上述した実施形態に限定されるものではなく、本発明の趣旨を逸脱しない範囲で種々の変更を施すことが可能であることは云うまでもない。例えば、第１、２実施形態の携帯用プロジェクタ１は、レンズ収納部３を移動または伸縮させることによって、焦点を合わせていた（レンズ３４のみが可動することはできなかった）が、ミラー２４を、電子機器７のディスプレイから照射された光源の入射光軸と、ミラー２４に反射した光源の反射光軸との内角が直角となるように配設し、レンズ３４を、反射光軸に沿って移動させる構成としてもよい。つまり、レンズ３４を移動させることによって、焦点を合わせて投影することができるので、焦点を合わせ易くなる。尚、入射光軸とは、光源からミラー又はレンズに入射した光の束を代表となる光線に置き換えた軸のことをいう、また、反射光軸とは、入射光軸がミラーに反射した光の束を代表となる光線に置き換えた軸のことをいう。
【００７０】
また、第３実施形態の携帯用プロジェクタ１は、ミラー収納部２とレンズ収納部３とは、各々が別体で形成されているが、一体的に形成してもよい。さらに、第３実施形態の携帯用プロジェクタ１は、ミラー２４を、電子機器７のディスプレイから照射された光源の入射光軸と、ミラー２４に反射した光源の反射光軸との内角が直角となるように配設し、レンズ３４を、入射光軸に沿って移動させる構成としても良い。つまり、レンズ３４を移動させることによって、焦点を合わせて投影することができるので、焦点を合わせ易くなる。
【産業上の利用可能性】
【００７１】
以上詳細に説明したように、本発明の携帯用プロジェクタは、電源が不要で、形状がコンパクトで持ち運びが容易であり、移動による携帯性に優れ、会議や打ち合わせ等で、スクリーン等に大画面の画像を投影することができる。
【符号の説明】
【００７２】
１：携帯用プロジェクタ  ２：ミラー収納部  ２１：ミラー開口部  ２２：ディスプレイ画像開口部  ２２１：壁  ２３：遮光板  ２４：ミラー  ２５：雌ネジ部  ２６：ガイドレール  ２７：固定部  ２８：ラック部
３：レンズ収納部  ３１：レンズ開口部  ３１ａ：ディスプレイ画像開口部  ３２：切り欠き部  ３３：レンズ孔部  ３４：レンズ  ３６：ガイドレール溝  ３７：固定溝  ３８：爪部  ３９：投影用孔部
６：スタンド  ６１：スタンド本体  ６２：スタンド側板  ６３：止め孔  ６４：雄ネジ  ６５：スタンド底板部
７：電子機器  １０：スクリーン
３ａ１：止め孔  ３ａ２：雄ネジ  ３ｂ、１１：蛇腹部  ２ｃ：ダイヤル  ３ｅ１：大の筒部  ３ｅ２：中の筒部  ３ｅ３：小の筒部
【図１】
2011013494.tif 000003
【図２】
2011013494.tif 000004
【図３】
2011013494.tif 000005
【図４】
2011013494.tif 000006
【図５】
2011013494.tif 000007
【図６】
2011013494.tif 000008
【図７】
2011013494.tif 000009
【図８】
2011013494.tif 000010
【図９】
2011013494.tif 000011
【図１０】
2011013494.tif 000012